(57)【要約】【課題】ハーフショート時において発火・発煙を発生させることなく電源回路を停止させることが可能な過電流防止装置を提供する。【解決手段】第１サーミスタ２１は整流回路１５から発生する温度を計測し、計測した温度に応じた電圧値を出力する。この第１サーミスタ２１にはスイッチング制御部１８が接続され、スイッチング制御部１８は第１サーミスタ２１から出力される電圧値が、第１電圧値を超えた場合に、交流電源１１と電源回路１０との間に設けられるスイッチ１９をオンからオフに切り替える。交流電源１１と電源回路１０との間にはスイッチ１９及びヒューズ１３が並列に設けられている。ヒューズ１３は、スイッチ１９がオフであり、かつ、交流電源１１から所定電流以上の電流が供給された場合、電源回路１０への電流の供給を停止する。【選択図】図１
2008109779.tif 000002
【特許請求の範囲】
【請求項１】
電源に接続される電源回路への過電流を防止するための過電流防止装置において、
前記電源回路から発生する温度を計測し、計測した温度に応じた電圧値を出力する温度センサと、
該温度センサに接続され、該温度センサから出力される電圧値が、所定電圧値を超えた場合に、前記電源と前記電源回路との間に設けられるスイッチをオンからオフに切り替える切り替え回路と、
前記スイッチに並列に接続され、該スイッチがオフであり、前記電源から所定電流以上の電流が供給された場合に、前記電源回路への電流の供給を停止する保護回路と
を備えることを特徴とする過電流防止装置。
【請求項２】
前記電源回路は、
前記電源に接続される整流回路及び該整流回路の後段に設けられる平滑回路であり、
前記温度センサは、
前記整流回路に対応して設けられた第１温度センサ及び前記平滑回路に対応して設けられた第２温度センサである
ことを特徴とする請求項１に記載の過電流防止装置。
【請求項３】
前記電源回路は、
前記電源に接続されるコモンモードチョークコイル、該コモンモードチョークコイルの後段に設けられる整流回路及び該整流回路の後段に設けられる平滑回路であり、
前記温度センサは、
前記整流回路に対応して設けられた第１温度センサ、前記平滑回路に対応して設けられた第２温度センサ及び前記コモンモードチョークコイルに対応して設けられた第３温度センサである
ことを特徴とする請求項１に記載の過電流防止装置。
【請求項４】
前記切り替え回路は、
前記第１温度センサ及び前記第２温度センサに接続され、前記第１温度センサに対応する第１電圧値及び前記第２温度センサに対応する第２電圧値を設定する設定部を備え、前記第１温度センサから出力される電圧値が第１電圧値を超えた場合に、または前記第２温度センサから出力される電圧値が第２電圧値を超えた場合に、前記スイッチをオンからオフに切り替えるよう構成してある
ことを特徴とする請求項２に記載の過電流防止装置。
【請求項５】
前記切り替え回路は、
前記第１温度センサ、前記第２温度センサ及び前記第３温度センサに接続され、前記第１温度センサに対応する第１電圧値、前記第２温度センサに対応する第２電圧値及び前記第３温度センサに対応する第３電圧値を設定する設定部を備え、前記第１温度センサから出力される電圧値が第１電圧値を超えた場合に、前記第２温度センサから出力される電圧値が第２電圧値を超えた場合に、または前記第３温度センサから出力される電圧値が第３電圧値を超えた場合に、前記スイッチをオンからオフに切り替えるよう構成してある
ことを特徴とする請求項３に記載の過電流防止装置。
【請求項６】
前記温度センサは、サーミスタまたはＣＭＯＳ温度センサである
ことを特徴とする請求項１乃至５のいずれか一つに記載の過電流防止装置。
【請求項７】
前記保護回路は、ヒューズまたはブレーカである
ことを特徴とする請求項１乃至６のいずれか一つに記載の過電流防止装置。
【発明の詳細な説明】
【技術分野】
【０００１】
本発明は、電源に接続される電源回路への過電流を防止するための過電流防止装置に関する。
【背景技術】
【０００２】
電源とＤＣ−ＤＣコンバータ等の電子回路または電気回路との間には交流を整流するための整流回路及び脈動電圧を平滑する平滑回路等を含む電源回路が設けられている。図４は従来の電源回路の回路構成を示す回路図である。図において１００は従来の電源回路であり、交流電源１０１とＤＣ−ＤＣコンバータ１０９との間に設けられている。電源回路１００は突入電流防止用抵抗１０２、コモンモードチョークコイル１０３、整流回路１０４、コンデンサ１０６、１０８及びチョークコイル１０７から構成される平滑回路１０５、電圧検出回路１１０、スイッチング制御部１１１、並びに、スイッチ１１２から構成される。
【０００３】
交流電源１０１から供給される交流はコモンモードチョークコイル１０３によりコモンモードノイズが除去された後、整流回路１０４にて整流が行われる。整流後平滑回路１０５にて脈動電圧が平滑化され、ＤＣ−ＤＣコンバータ１０９へ電圧が供給される。スイッチ１１２は電源供給時にはスイッチング制御部１１１によりオフ状態にあり、並列に接続される突入電流防止用抵抗１０２に直接交流電源１０１からの電源が供給される。
【０００４】
電圧検出回路１１０はＤＣ−ＤＣコンバータ１０９の電圧を検出する回路である。スイッチング制御部１１１はＤＣ−ＤＣコンバータ１０９の動作に伴う電圧変化を、電圧検出回路１１０を介して監視しており、電圧供給後ＤＣ−ＤＣコンバータ１０９が所定電圧で安定動作した場合、スイッチ１１２をオンにする。この場合、交流電源１０１から供給される交流は突入電流防止用抵抗１０２を経ることなく整流回路１０４等に供給される。これにより、突入電流防止用抵抗１０２による電圧の損失を防止している。なお、その他一般的な電源回路としては特許文献１または２の電源回路が知られている。
【特許文献１】特開２００２−１０６３５号公報
【特許文献２】特開２００４−８０４１９号公報
【発明の開示】
【発明が解決しようとする課題】
【０００５】
しかしながら、電源回路内のコンデンサ等が故障して電流がリークする等、所謂ハーフショートが発生する場合がある。ハーフショートはこの他、コモンモードチョークコイルまたはダイオードの故障、及び、整流回路と平滑回路との間の結線上に異物がのった場合等に発生する。ハーフショートが発生した場合は直ちに電源回路が停止することなく、動作を継続して行う。そのため、コモンモードチョークコイルまたはダイオード等が発熱し、発煙または発火を生じる虞があるという問題があった。なお、特許文献１及び２では、かかる問題を解決するための手段が開示されていない。
【０００６】
本発明は斯かる事情に鑑みてなされたものであり、その目的は、電源回路から発生する温度を計測するセンサを設け、温度センサから出力される電圧値が、所定電圧値を超えた場合に、電源と前記電源回路との間に設けられるスイッチをオンからオフに切り替え、このスイッチに保護回路を並列に設けることにより、ハーフショート時において発火・発煙を発生させることなく電源回路を停止させることが可能な過電流防止装置を提供することにある。
【０００７】
本発明の他の目的は、電源回路内の整流回路及び平滑回路等それぞれに温度センサを設け、切り替え回路にて個別にスイッチをオンからオフに切り替えることにより、より安全性の高い過電流防止装置を提供することを目的とする。
【０００８】
本発明の他の目的は、電源回路内の整流回路及び平滑回路等それぞれに温度センサを設け、切り替え回路にてスイッチをオンからオフに切り替える電圧値を個別に設定することにより、よりきめ細かな設定が可能となる過電流防止装置を提供することを目的とする。
【課題を解決するための手段】
【０００９】
本発明に係る過電流防止装置は、電源に接続される電源回路への過電流を防止するための過電流防止装置において、前記電源回路から発生する温度を計測し、計測した温度に応じた電圧値を出力する温度センサと、該温度センサに接続され、該温度センサから出力される電圧値が、所定電圧値を超えた場合に、前記電源と前記電源回路との間に設けられるスイッチをオンからオフに切り替える切り替え回路と、前記スイッチに並列に接続され、該スイッチがオフであり、前記電源から所定電流以上の電流が供給された場合に、前記電源回路への電流の供給を停止する保護回路とを備えることを特徴とする。
【００１０】
本発明に係る過電流防止装置は、前記電源回路は、前記電源に接続される整流回路及び該整流回路の後段に設けられる平滑回路であり、前記温度センサは、前記整流回路に対応して設けられた第１温度センサ及び前記平滑回路に対応して設けられた第２温度センサであることを特徴とする。
【００１１】
本発明に係る過電流防止装置は、前記電源回路は、前記電源に接続されるコモンモードチョークコイル、該コモンモードチョークコイルの後段に設けられる整流回路及び該整流回路の後段に設けられる平滑回路であり、前記温度センサは、前記整流回路に対応して設けられた第１温度センサ、前記平滑回路に対応して設けられた第２温度センサ及び前記コモンモードチョークコイルに対応して設けられた第３温度センサであることを特徴とする。
【００１２】
本発明に係る過電流防止装置は、前記切り替え回路は、前記第１温度センサ及び前記第２温度センサに接続され、前記第１温度センサに対応する第１電圧値及び前記第２温度センサに対応する第２電圧値を設定する設定部を備え、前記第１温度センサから出力される電圧値が第１電圧値を超えた場合に、または前記第２温度センサから出力される電圧値が第２電圧値を超えた場合に、前記スイッチをオンからオフに切り替えるよう構成してあることを特徴とする。
【００１３】
本発明に係る過電流防止装置は、前記切り替え回路は、前記第１温度センサ、前記第２温度センサ及び前記第３温度センサに接続され、前記第１温度センサに対応する第１電圧値、前記第２温度センサに対応する第２電圧値及び前記第３温度センサに対応する第３電圧値を設定する設定部を備え、前記第１温度センサから出力される電圧値が第１電圧値を超えた場合に、前記第２温度センサから出力される電圧値が第２電圧値を超えた場合に、または前記第３温度センサから出力される電圧値が第３電圧値を超えた場合に、前記スイッチをオンからオフに切り替えるよう構成してあることを特徴とする。
【００１４】
本発明に係る過電流防止装置は、前記温度センサは、サーミスタまたはＣＭＯＳ温度センサであることを特徴とする。
【００１５】
本発明に係る過電流防止装置は、前記保護回路は、ヒューズまたはブレーカであることを特徴とする。
【００１６】
本発明にあっては、温度センサは電源回路から発生する温度を計測し、計測した温度に応じた電圧値を出力する。この温度センサは例えば、サーミスタまたはＣＭＯＳ温度センサが用いられる。この温度センサには切り替え回路が接続され、切り替え回路は温度センサから出力される電圧値が、所定電圧値を超えた場合に、電源と電源回路との間に設けられるスイッチをオンからオフに切り替える。電源と電源回路との間にはスイッチ及び保護回路が並列に設けられている。ヒューズまたはブレーカ等の保護回路は、スイッチがオフであり、かつ、電源から所定電流以上の電流が供給された場合、電源回路への電流の供給を停止する。これにより、電源回路にハーフショートが発生し温度が上昇した場合でも、保護回路への接続に伴って、保護回路が動作し電源回路への過電流供給が防止される。
【００１７】
本発明にあっては、電源回路は、電源に接続されるコモンモードチョークコイル、コモンモードチョークコイルの後段に設けられる整流回路及び該整流回路の後段に設けられる平滑回路である。そして、第１温度センサが整流回路に対応して設けられ、第２温度センサが平滑回路に対応して設けられ、第３温度センサがコモンモードチョークコイルに対応して設けられる。切り替え回路は各温度センサに接続され、各温度センサからの電圧値が所定電圧値を超えた場合にスイッチをオフする。
【００１８】
本発明にあっては、切り替え回路は、第１温度センサ、第２温度センサ及び第３温度センサに接続される。切り替え回路は設定部を備え、設定部は第１温度センサに対応する第１電圧値、第２温度センサに対応する第２電圧値及び第３温度センサに対応する第３電圧値を設定する。切り替え回路は、第１温度センサから出力される電圧値が第１電圧値を超えた場合に、第２温度センサから出力される電圧値が第２電圧値を超えた場合に、または第３温度センサから出力される電圧値が第３電圧値を超えた場合に、スイッチをオンからオフに切り替える。
【発明の効果】
【００１９】
本発明にあっては、電源回路の温度を計測する温度センサには切り替え回路が接続され、切り替え回路は温度センサから出力される電圧値が、所定電圧値を超えた場合に、電源と電源回路との間に設けられるスイッチをオンからオフに切り替える。電源と電源回路との間にはスイッチ及び保護回路が並列に設けられている。保護回路は、スイッチがオフであり、かつ、電源から所定電流以上の電流が供給された場合、電源回路への電流の供給を停止する。従って、電源回路にハーフショートが発生し温度が上昇した場合でも、保護回路への接続に伴って、保護回路が動作し電源回路への過電流供給が防止される。これにより、ハーフショート状態が継続することによる発火・発煙等を防止することが可能となる。
【００２０】
本発明にあっては、第１温度センサが整流回路に対応して設けられ、第２温度センサが平滑回路に対応して設けられ、第３温度センサがコモンモードチョークコイルに対応して設けられる。切り替え回路は各温度センサに接続され、各温度センサからの電圧値が所定電圧値を超えた場合にスイッチをオフする。これにより、電源回路内の異常を回路毎に個別に検出でき、より安全性を高めることが可能となる。
【００２１】
本発明にあっては、第１温度センサ、第２温度センサ及び第３温度センサに接続される切り替え回路は設定部を備え、設定部は第１温度センサに対応する第１電圧値、第２温度センサに対応する第２電圧値及び第３温度センサに対応する第３電圧値を設定する。切り替え回路は、第１温度センサから出力される電圧値が第１電圧値を超えた場合に、第２温度センサから出力される電圧値が第２電圧値を超えた場合に、または第３温度センサから出力される電圧値が第３電圧値を超えた場合に、スイッチをオンからオフに切り替える。これにより、電源回路内の各回路特性に応じて、スイッチを動作させる最適な電圧値を個別に設定でき、より安全性を高めることが可能となる等、本発明は優れた効果を奏する。
【発明を実施するための最良の形態】
【００２２】
実施の形態１
以下本発明の実施の形態を、図面を参照して説明する。図１は過電流防止装置及び電源回路の回路構成を示す回路図である。図において１は過電流防止装置であり交流電源１１から電源回路１０へ入力される過電流を防止する。過電流防止装置１は突入電流防止用抵抗１２、保護回路としてのヒューズ１３、電源回路としてのコモンモードチョークコイル１４、整流回路１５及び平滑回路１６、スイッチング制御部１８、温度センサとしての第１サーミスタ２１、第２サーミスタ２２及び第３サーミスタ２３、電圧検出回路２４、並びに、切り替え回路としてのスイッチ１９等を含んで構成される。
【００２３】
交流電源１１から電源が供給されていない場合、ＤＣ−ＤＣコンバータ１７の動作電圧を検出する電圧検出回路２４からは、０Ｖ電圧がスイッチング制御部１８へ出力される。スイッチング制御部１８は電圧検出回路２４からの電圧値が０Ｖの場合、スイッチ１９をオフ（オープン）する。交流電源１１から交流電圧が供給された場合、突入電流防止用抵抗１２は突入電流を防止する。交流電圧はヒューズ１３を経て、コモンモードチョークコイル１４によりコモンモードノイズが除去される。
【００２４】
ノイズが除去された交流電圧はダイオードを用いたブリッジ回路等により構成される整流回路１５により全波整流される。整流後の脈動電圧はコンデンサ１６１、１６３及びチョークコイル１６２から構成されるＬＣ平滑回路等の平滑回路１６により平滑される。なお平滑回路１６はダイオード及びコンデンサを用いたものであっても良い。平滑回路１６により平滑化された電圧はＤＣ−ＤＣコンバータ１７へ供給される。ＤＣ−ＤＣコンバータ１７には図示しない放電灯等が接続される。電圧検出回路２４はＤＣ−ＤＣコンバータ１７の電圧を検出し、検出した電圧をスイッチング制御部１８へ出力する。スイッチング制御部１８は、ＤＣ−ＤＣコンバータ１７が安定動作し電圧検出回路２４から所定電圧値以上の電圧が出力された場合、スイッチ１９をオン（クローズ）する。
【００２５】
交流電源１１及びコモンモードチョークコイル１４の間に挿入されるスイッチ１９と、突入電流防止用抵抗１２及びヒューズ１３とは並列に接続されている。スイッチ１９がオンした場合、交流電源１１からの交流電圧は、突入電流防止用抵抗１２を経ることなく、スイッチ１９側を経由してコモンモードチョークコイル１４へ供給される。なお、本実施の形態においては、電源回路１０にコモンモードチョークコイル１４、整流回路１５及び平滑回路１６の３つを用いた形態につき説明するが、これらの回路に限るものではなく、他の回路を用いても良い。また、整流回路１５及び平滑回路１６のみを用いても良い。
【００２６】
整流回路１５の近傍であって整流回路１５と平滑回路１６との間には、整流回路１５から発生する温度を計測する第１サーミスタ２１が設けられている。第１サーミスタ２１は、整流回路１５と平滑回路１６との間のハーフショート等により、整流回路１５の温度が上昇した場合、内部の抵抗値が上昇し、第１サーミスタ２１から出力される電圧値が低下する。第１サーミスタ２１には分圧抵抗２１１が直列に接続されており、分圧抵抗２１１により分圧された電圧は、スイッチング制御部１８の第１入力部２５１へ入力される。第１入力部２５１には第１設定部１８１が接続されている。第１設定部１８１は、スイッチ１９をオフする第１電圧値を記憶するメモリ及び比較器を備えている。この第１電圧値は例えば５Ｖである。
【００２７】
第１設定部１８１は第１入力部２５１から出力される電圧を監視しており、整流回路１５の発熱に伴い、第１入力部２５１から出力される電圧が第１電圧値より低くなった場合、スイッチ１９をオフする。例えばＤＣ−ＤＣコンバータ１７の安定動作後における電源回路１０の正常時には、８Ｖの電圧が第１設定部１８１へ入力されており、その後、発熱に起因して第１サーミスタ２１内部の抵抗値が上昇し、第１設定部１８１へ入力される電圧が５Ｖ以下となった場合に、第１設定部１８１はスイッチ１９をオンからオフに切り替える。この場合におけるハーフショートは、例えば、整流回路１５と平滑回路１６との間の結線上に異物がのった場合等である。なお、本実施の形態における第１サーミスタ２１は温度の上昇と共に抵抗値が増加するものを用いたが、逆に温度の上昇と共に抵抗値が低下する特性のものを用いても良い。この場合、第１設定部１８１は第１入力部２５１から出力される電圧値が第１電圧値以上、例えば１０Ｖ以上となった場合に、第１設定部１８１はスイッチ１９をオンからオフに切り替える。
【００２８】
また、本実施の形態においては温度センサとして、サーミスタを用いた形態につき説明したが、例えばＣＭＯＳ温度センサ等の公知の温度センサを適用すればよい。スイッチング制御部１８内部には第１操作部２０１が設けられている。第１操作部２０１は、可変抵抗等により構成され、これに接続される第１設定部１８１における第１電圧値をユーザの設定により、例えば３Ｖ〜５Ｖ等に変更することができる。
【００２９】
ハーフショート状態においてスイッチ１９がオンからオフへ切り替えられた場合、ヒューズ１３に過電流が流れ、内部の可溶体が溶断し、交流電源１１から電源回路１０への電流を遮断する。なお、本実施の形態においては保護回路としてヒューズを用いた形態につき説明したがヒューズに替えてブレーカを用いても良い。
【００３０】
平滑回路１６内部には、コンデンサ１６３と並列に平滑回路１６の温度を計測する第２サーミスタ２２が接続されている。第２サーミスタ２２には分圧抵抗２２１が直列に接続されており、分圧抵抗２２１により分圧された電圧は、スイッチング制御部１８の第２入力部２５２へ入力される。第２入力部２５２には第２設定部１８２が接続されている。第２設定部１８２は、スイッチ１９をオフする第２電圧値を記憶するメモリ及び比較器を備えている。
【００３１】
第２設定部１８２は第２入力部２５２から出力される電圧を監視しており、平滑回路１６の発熱に伴い、第２入力部２５２から出力される電圧が第２電圧値より低くなった場合、スイッチ１９をオフする。スイッチング制御部１８内部には第２操作部２０２が設けられている。第２操作部２０２は、これに接続される第２設定部１８２における第２電圧値をユーザの設定により変更することができる。この第２電圧値は、分圧抵抗２２１及び第２操作部２０２により適宜の値が設定される。
【００３２】
コンデンサ１６３の故障によりリーク電流が発生することに起因するハーフショートが発生した場合、チョークコイル１６２の温度が上昇し、第２サーミスタ２２の抵抗値が上昇する。第２サーミスタ２２から出力される電圧値が低下し、第２入力部２５２へ入力される電圧も低下する。第２設定部１８２は、第２入力部２５２から入力される電圧値が第２電圧値以下となった場合に、スイッチ１９をオフする。このように、ハーフショート状態においてスイッチ１９がオフされた場合、ヒューズ１３に過電流が流れ、内部の可溶体が溶断し、交流電源１１から電源回路１０への電流が遮断される。
【００３３】
コモンモードチョークコイル１４の近傍であって、コモンモードチョークコイル１４と整流回路１５との間には、コモンモードチョークコイル１４の温度を計測する第３サーミスタ２３が接続されている。第３サーミスタ２３には交流電圧を整流するダイオード２３１及び整流された脈動電圧を平滑化するコンデンサ２３２及び抵抗２３３が接続されている。平滑後の電圧はスイッチング制御部１８の第３入力部２５３へ入力される。第３入力部２５３には第３設定部１８３が接続されている。第３設定部１８３は、スイッチ１９をオフする第３電圧値を記憶するメモリ及び比較器を備えている。
【００３４】
第３設定部１８３は第３入力部２５３から出力される電圧を監視しており、コモンモードチョークコイル１４の発熱に伴い、第３入力部２５３から出力される電圧が第３電圧値より低くなった場合、スイッチ１９をオフする。スイッチング制御部１８内部には第３操作部２０３が設けられている。第３操作部２０３は、これに接続される第３設定部１８３における第３電圧値をユーザの設定により変更することができる。この第３電圧値は、抵抗２３３及び第３操作部２０３により適宜の値が設定される。
【００３５】
整流回路１５内部のダイオード故障等によりハーフショートが発生した場合、コモンモードチョークコイル１４の温度が上昇し、第３サーミスタ２３の抵抗値が上昇する。第３サーミスタ２３から出力される電圧値が低下し、第３入力部２５３へ入力される電圧も低下する。第３設定部１８３は、第３入力部２５３から入力される電圧値が第３電圧値以下となった場合に、スイッチ１９をオフする。このように、ハーフショート状態においてスイッチ１９がオフされた場合、ヒューズ１３に過電流が流れ、内部の可溶体が溶断し、交流電源１１から電源回路１０への電流が遮断される。なお、本実施の形態においては、ヒューズ１３として、過電流による自己発熱を利用して可溶体を溶断し、回路を遮断する電流ヒューズを用いた形態につき説明したが、これに限るものではなく、温度ヒューズを用いても良い。温度ヒューズを用いた場合、温度ヒューズに隣接して接続される突入電流防止用抵抗１２の発熱により内部の可溶体が溶断し、交流電源１１から電源回路１０への電流が遮断される。
【００３６】
なお、第１電圧値乃至第３電圧値は同一の値としても良く、またコモンモードチョークコイル１４、整流回路１５及び平滑回路１６の特性に応じて、第１操作部２０１乃至第３操作部２０３を用いて、または、分圧抵抗２１１、分圧抵抗２２１及び抵抗２３３を用いて、相互に異なる電圧値を設定しても良い。さらに、本実施の形態においては第１操作部２０１乃至第３操作部２０３を設けて、第１設定部１８１乃至第３設定部１８３の第１電圧値乃至第３電圧値を変更できるよう説明したが、必ずしも第１操作部２０１乃至第３操作部２０３を設けなくても良い。さらに、本実施の形態においてはコモンモードチョークコイル１４、整流回路１５及び平滑回路１６のそれぞれに対応させて、第１サーミスタ２１乃至第３サーミスタ２３を設けたが、少なくとも一つのサーミスタを設ける構成としても良い。
【００３７】
実施の形態２
実施の形態２は周辺の温度の変化に応じて第１電圧値乃至第３電圧値を変更する形態に関する。図２は実施の形態２に係る過電流防止装置１及び電源回路１０の回路構成を示す回路図である。スイッチング制御部１８の構成が実施の形態１とは異なる。スイッチング制御部１８は、第１入力部２５１、第２入力部２５２、第３入力部２５３、温度センサ４０、第１テーブル４１、第２テーブル４２、第３テーブル４３、第１設定部１８１、第２設定部１８２及び第３設定部１８３を含んで構成される。
【００３８】
温度センサ４０は過電流防止装置１周辺の温度を計測するセンサであり、例えばサーミスタまたはＣＭＯＳ温度センサ等が用いられる。温度センサ４０は温度に係る信号（例えば電圧）を第１テーブル４１、第２テーブル４２及び第３テーブル４３へ出力する。第１テーブル４１は、温度に対応させて、スイッチ１９をオフするための基準となる第１電圧値が複数記憶されている。
【００３９】
図３は第１テーブル４１のレコードレイアウトを示す説明図である。温度フィールドには単位を℃とする温度が記憶されており、各温度に対応付けて、第１電圧値フィールドには、単位をボルトＶとする電圧がそれぞれ記憶されている。この第１テーブル４１は第１サーミスタ２１の特性にあわせて温度に対する第１電圧値が記憶されている。第１サーミスタ２１は、温度の上昇に伴い抵抗値が増加し、出力される電圧が低下することから、夏期等の周辺温度が高い場合は、電源回路１０に異常がない場合でも、低い電圧が第１入力部２５１へ入力され、第１設定部１８１が第１電圧値以下になったと判断し、スイッチ１９をオフにすることが想定される。温度センサ４０、並びに、第１テーブル４１、第２テーブル４２、及び、第３テーブル４３は周辺温度の変化による誤作動を防止するために設けている。
【００４０】
第１テーブル４１は温度が高くなるにつれて、第１電圧値が低くなるように設定している。なお、この温度及び電圧値は一例であり、第１サーミスタ２１の特性に応じて他の値とする他、逆に温度が高くなるにつれて電圧値を高くするようにしても良い。第２テーブル４２及び第３テーブル４３も第１テーブル４１と同様の構成であり、温度に対応させて第２電圧値、または、第３電圧値がそれぞれ記憶されている。なお、本実施の形態においては、３つのテーブルを用意したが、１のテーブルにて温度及びこれに対応する電圧値を共通のものとしても良い。
【００４１】
温度センサ４０から温度の信号が出力された場合、第１テーブル４１は対応する第１電圧値を第１設定部１８１へ出力する。第１設定部１８１は、第１入力部２５１から入力される電圧値と第１テーブル４１から出力される第１電圧値とを比較し、入力電圧値が第１電圧値以下となった場合に、スイッチ１９をオンからオフに切り替える。第２テーブル４２及び第２設定部１８２、並びに、第３テーブル４３及び第３設定部１８３の構成及び作用については第１テーブル４１及び第１設定部１８１と同様であるので詳細な説明は省略する。
【００４２】
本実施の形態２は以上の如き構成としてあり、その他の構成及び作用は実施の形態１と同様であるので、対応する部分には同一の参照番号を付してその詳細な説明を省略する。
【図面の簡単な説明】
【００４３】
【図１】過電流防止装置及び電源回路の回路構成を示す回路図である。
【図２】実施の形態２に係る過電流防止装置及び電源回路の回路構成を示す回路図である。
【図３】第１テーブルのレコードレイアウトを示す説明図である。
【図４】従来の電源回路の回路構成を示す回路図である。
【符号の説明】
【００４４】
１      過電流防止装置
１０    電源回路
１１    交流電源
１２    突入電流防止用抵抗
１３    ヒューズ
１４    コモンモードチョークコイル
１５    整流回路
１６    平滑回路
１８    スイッチング制御部
１９    スイッチ
２１    第１サーミスタ
２２    第２サーミスタ
２３    第３サーミスタ
２４    電圧検出回路
４０    温度センサ
１８１  第１設定部
１８２  第２設定部
１８３  第３設定部
【図１】
2008109779.tif 000003
【図２】
2008109779.tif 000004
【図３】
2008109779.tif 000005
【図４】
2008109779.tif 000006